(57)【要約】【解決手段】  時計香箱（２）の爪車（３）をブロッキングするためのシステム（１）であって、前記システムは、  フレーム（５０）と、前記フレーム上に旋回可能な態様で搭載されるレバー（４）と、前記レバー及びまたは前記フレーム上に旋回可能な態様で搭載される、少なくとも１つの第１歯付き歯車（６）を含む歯車列（２０）と、前記レバーを、前記歯車列が前記爪車（３）と噛合する静止位置へ戻すばね（５）と、を含む、システム。【選択図】  図１
2021517644.tif 000002
【特許請求の範囲】
【請求項１】
時計香箱（２）の爪車（３）をブロッキングするためのシステム（１）であって、前記システムは、
フレーム（５０）と、
前記フレーム上に旋回可能な態様で搭載されるレバー（４）と、
前記レバー及びまたは前記フレーム上に旋回可能な態様で搭載される、少なくとも１つの第１歯付き歯車（６）を含む歯車列（２０）と、
前記レバーを、前記歯車列が前記爪車（３）と噛合する静止位置へ戻すばね（５）と、
を含み、
前記歯車列は、不可逆ギア（３０）の歯列（６１；７１）を含む、システム。
【請求項２】
前記歯車列は、前記第１歯付き歯車と、第２歯付き歯車（７）、特に前記レバー（４）上に旋回可能な態様で搭載される第２歯付き歯車とを含む、
請求項１に記載のブロッキングシステム（１）。
【請求項３】
前記不可逆ギアは、前記第１歯車と前記第２歯車との間に形成される、
請求項２に記載のブロッキングシステム。
【請求項４】
前記第１歯付き歯車は、前記レバーが前記フレーム上で旋回する軸（８）周りで、旋回可能な態様で搭載される、特に前記レバー上に旋回可能な態様で搭載される、
請求項１から３のいずれか一項に記載のブロッキングシステム。
【請求項５】
前記不可逆ギアは、前記歯車列と前記爪車との間に形成される、
請求項１から４のいずれか一項に記載のブロッキングシステム。
【請求項６】
前記ばねは、板ばね（５）、特に前記レバーと一緒に製造されるまたは前記レバーと一体である板ばね（５）である、
請求項１から５のいずれか一項に記載のブロッキングシステム。
【請求項７】
前記システムは、前記レバーの前記静止位置を定義するため、前記レバー（４）の表面（１２）と協働する止め具（１０）を含む、
請求項１から６のいずれか一項に記載のブロッキングシステム。
【請求項８】
前記歯車列と前記レバーは、前記主ぜんまいのほどける方向に駆動される前記爪車が、前記歯車列に、前記レバーを前記静止位置に向かって駆動する作用を発揮するように配置される、
請求項１から７のいずれか一項に記載のブロッキングシステム。
【請求項９】
爪を有さない、請求項１から８のいずれか一項に記載のブロッキングシステム。
【請求項１０】
請求項１から９のいずれか一項に記載のシステム（１）を含む、時計機構（２００）、特に時計ムーブメント。
【請求項１１】
請求項１０に記載の機構及びまたは請求項１から９のいずれか一項に記載のシステムを含む、時計（２００）、特に腕時計。
【発明の詳細な説明】
【技術分野】
【０００１】
本発明は、時計香箱の爪車をブロッキングするためのシステムに関する。本発明はまた、当該システムを含む、時計機構に関する。本発明はまた、当該システムまたは当該時計機構を含む、時計に関する。
【背景技術】
【０００２】
機械的に巻き上げられる機械式ムーブメントを含む時計は、香箱を含み、その爪車は、ブロッキングシステムの作用を理由に、その軸周りに一方向のみに回転可能である。ブロッキングシステムは、爪である。
【０００３】
爪は、香箱へ伝達されるエネルギーの一部を吸収し、香箱の巻き上げ中に、カチカチという騒音を発生する。
【先行技術文献】
【特許文献】
【０００４】
【特許文献１】国際公開第２０１５／１９３８０９号
【特許文献２】スイス国特許発明第７００８０６号明細書
【発明の概要】
【発明が解決しようとする課題】
【０００５】
本発明の目的は、上述の欠点の是正を可能とし、従来技術から既知のシステムを改善可能な、ブロッキングシステムを提供することである。特に、本発明は、香箱へのエネルギーの伝達の最適化を可能とし、香箱の巻き上げ中のブロッキングシステムの騒音の制限を可能とする、ブロッキングシステムを提案する。
【課題を解決するための手段】
【０００６】
本発明にかかるシステムは、請求項１に定義される。
【０００７】
部品の様々な実施形態は、請求項２から９に定義される。
【０００８】
本発明にかかる機構は、請求項１０に定義される。
【０００９】
本発明にかかる時計は、請求項１１に定義される。
【００１０】
添付の図面は、本発明にかかる時計の実施形態を例として示す。
【図面の簡単な説明】
【００１１】
【図１】図１は、ブロッキングシステムが第１構成にある時計の実施形態の模式図である。
【図２】図２は、ブロッキングシステムが第２構成にある時計の実施形態の模式図である。
【図３】図３は、ブロッキングシステムが第３構成にある時計の実施形態の模式図である。
【発明を実施するための形態】
【００１２】
時計２００の実施形態を、図１から３を参照して以下に説明する。時計は、例えば小型時計であり、特に腕時計である。時計は時計機構を、特に機械式時計ムーブメント１００を含む。時計ムーブメントは、例えば、手動巻き上げ型または自動巻き上げ型である。
【００１３】
ムーブメントは、香箱と、香箱の巻き上げまたは主ぜんまいの締付を可能にしつつも、主ぜんまいがゆるんだりほどけたりすることを防止するために、香箱をブロッキングするためのシステム１とを含む。
【００１４】
香箱は、ムーブメントのフレーム５０上の軸３２周りに回転可能に搭載される。香箱は、主として、香箱真、胴、及びぜんまいを含み、軸と胴とは、軸周りに巻き上げられ、胴内に含まれる、ぜんまいにより機械的に接続される。香箱真は、手動または自動型の巻き上げ歯車列に機械的に接続される。
【００１５】
時計が巻き上げられると、香箱真は、ぜんまいを巻き上げまたは締付または圧迫するために、フレーム及び胴に対して軸３２周りに回転駆動される。このため、香箱真は、爪車３を介して、回転駆動される。
【００１６】
ムーブメントの駆動中、香箱胴は、時計の歯車列を駆動するために、フレームと真とに対して軸３２周りに回転駆動される。このため、香箱胴は、時計の歯車列の第１歯車と噛合する歯列を含む。
【００１７】
図示した実施形態において、ブロッキングシステムは、図１に示すその第１構成において、爪車を軸３２周りに時計周りに回転可能にする。これにより、時計の巻き上げを可能にする。
【００１８】
図示する実施形態において、ブロッキングシステムは、図２に示すその第２構成において、フレーム５０に対する爪車の軸３２周りの反時計回りの回転を防止する。これは、時計の歯車列が駆動されている場合以外で、主ぜんまいがゆるむことを防止することを可能にする。
【００１９】
このため、ブロッキングシステムは、香箱の、特に真または香箱の爪車の、一方向のブロッキングを可能にする。ブロッキングシステムはまた、フレームに対する、香箱の、特に真のまたは香箱の爪車一方向の回転を可能にする。
【００２０】
上述のように、ブロッキングシステム１は、時計香箱２の爪車３の条件付きブロッキングを可能にする。
【００２１】
ブロッキングシステムは、
−  フレーム５０と、
−  フレーム上に旋回可能な態様で搭載されるレバー４と、
−  レバー及びまたはフレーム上に旋回可能な態様で搭載される少なくとも１つの歯付き歯車６を含む、歯車列２０と、
−  歯車列が爪車３と噛合する静止位置にレバーを戻す、ばね５と、
を含み、
歯車列は、不可逆ギア３０の歯列６１、７１を含む。
【００２２】
レバー４は、フレーム上に軸８周りに旋回可能な態様で搭載される。当該軸は、例えば、軸３２に平行である。好ましくは、レバーは、単安定型のものである。このため、レバーは第１の、静止または戻り位置に戻される。この第１の、静止または戻り位置は、図１及び２に示される。この戻りは、ばね５により保証される。ばねは有利には、レバーと一緒に製造されるまたはレバーと一体である。ばねは、図１及び２の第１位置への弾性戻しを保証するために、フレームの、またはより一般的にはムーブメントの止め具５１に当接する。例えば、ばね５は板ばね５である。
【００２３】
レバー４は、フレームの、またはより一般的にはムーブメントの止め具１０と協働する止め面１２を含む。止め具１０は、ピンであってもよい。止め面１２と止め具１０との接触による協働は、図１及び２に示すレバー４の第１位置を定義する。このため上述のばね５は、止め面１２を止め具１０との接触へ戻すことが可能である。
【００２４】
レバーは、歯車列２０の少なくとも一部を支持する。換言すれば、歯車列を構成する１以上の要素６、７は、レバー４上に、特にレバー４のアーム４１上に、旋回可能な態様で搭載される。例えば、歯車列を構成する単一の要素または全ての要素６、７は、レバー４上に、特にレバー４のアーム４１上に、旋回可能な態様で搭載される。図示する実施形態において、歯車列は、第１歯付き歯車６と、第２歯付き歯車７とを含む。第１及び第２歯付き歯車は、互いに永続的に噛合するように、レバー上に配置される。
【００２５】
第１歯付き歯車６は、フレーム５０上に軸８周りに旋回可能な態様で搭載される。第２歯付き歯車７は、レバー上に軸９周りに旋回可能な態様で搭載される。好ましくは、軸８と９は、互いに並行であり、香箱の軸３２と平行である。また好ましくは、第１歯付き歯車がレバー上でその周りで旋回される軸は、レバーがムーブメント上でその周りを旋回される軸である。第１歯付き歯車６は、軸８周りに旋回可能な態様で搭載される。このため、第１歯付き歯車は、レバーに対して自由に旋回可能であることを条件として、レバー上で旋回されていると見做すことができる。
【００２６】
図示した実施形態において、第１歯車６は第１歯列６１を有し、第２歯車７は第２歯列７１を有する。これら第１及び第２歯列は、第１及び第２歯車間で不可逆ギアを形成するよう配置される。このため、第２歯車が駆動歯車であって反時計回り方向に回転する場合、第２歯車は、第１歯車を回転駆動し、このため第１歯車は被駆動歯車となる（図１参照）が、第２歯車が駆動歯車であって時計周り方向に回転する場合、ギアがブロッキングされ、第２歯車の回転は第１歯車によりブロッキングされる（図２参照）。具体的には、第１及び第２歯車の形状は、時計周り方向に回転する第２歯車が第１歯車の駆動を始めるときに、第１及び第２歯列の歯の先端を接触させる。
【００２７】
当該実施形態において、ギアの不可逆性は、第１歯列６１及び第２歯列７１の特定のプロファイルと、第１及び第２歯車の配置により、保証される。図示した第１及び第２歯列のプロファイルとは別個に、不可逆ギアを形成するために、他の歯列のプロファイルを、特に特許文献１及び特許文献２に図示される歯列を用いることもできる。
【００２８】
好ましくは、角穴車の歯列３１は、完全に従来のものである。特に、歯列３１は、そのプロファイルが標準時計プロファイルである、歯列である。
【００２９】
好ましくは、第１歯列は、３０本より少ない、または２０本より少ない、または１０本より少ない歯を含む、及びまたは第２歯列は、３０本より少ない、または２０本より少ない、または１０本より少ない歯を含む。
【００３０】
図１及び２に示すレバーの静止または戻り位置において、歯車列２０は、特に第２歯車７は、爪車と噛み合う。図３に示すレバーの第２位置において、レバーは旋回し、爪車の歯列３１は、もはや歯車列２０と噛み合わない、特にもはや第２歯車７の歯列７１と噛み合わない。当該第２位置は、ブロッキングシステムの第３構成を定義する。具体的には、歯列３１と７１は、互いに離れて位置する。当該第３構成において、爪車は、フレーム５０に対して軸３２周りに、特に反時計回り方向に、自由に回転可能である。当該第２位置は、レバーの止め面１１と止め具１０との接触による協働により定義可能である。当該第２位置は、例えばムーブメントを分解するために、ぜんまいを巻き戻すことを可能にする。第３構成は、図３に示す。
【００３１】
レバーは、例えば、歯車列がその上に搭載される第１アーム４１を有する。レバーは、例えば、１以上の止め具１０との協働により、レバー４の旋回振幅を制限するために設けられる止め面１１、１２がその上に搭載される、第２アーム４２を有する。レバーは、例えば、ばね５により形成される第３アーム４３を有する。３本のアームは、例えば、Ｔ字型に、すなわち３本のアームが実質的に２つの直角を形成するよう、分布される。
【００３２】
有利には、歯車列とレバーとは、主ぜんまいの巻き戻し方向（すなわち、反時計回り方向）に駆動される爪車が、レバーを静止位置へ駆動する作用を歯車列にもたらすように配置される。
【００３３】
上述の実施形態において、レバーは、歯車列の支持、旋回振幅の制限、及びレバーの弾性戻しの機能を保証する、３本のアームを含む。変形例として、アームは、その他の方法で幾何学的に編成されてもよい。更に、変形例として、これら３本のアームにより保証される機能は、アーム上に異なって編成されてもよい、特にこれら機能のいずれかが同一のアームに統合されてもよい。このため、レバーは２本のアームのみを、または１本のアームのみを有してもよい。
【００３４】
上述の実施形態及びその変形例において、第１及び第２歯列は特徴的である。変形例として、第１歯列のみ、または第２歯列のみが特徴的であり、それぞれプロファイルが標準時計プロファイルである第２歯列または第１歯列と協働してもよい。
【００３５】
上述の実施形態およびその変形例において、不可逆ギアは、第２歯車と第１歯車との間に形成される。しかしながら、変形例として、不可逆ギアは、歯車列と爪車との間に形成されてもよい。この場合、爪車の歯のプロファイルは、好ましくは、標準的時計プロファイルであり、爪車と噛合する歯車列の歯車の歯のプロファイルは、標準的プロファイル歯と噛合するときに不可逆性を生成する特徴的なプロファイルである。
【００３６】
上述の実施形態およびその変形例において、歯車列は、２つの歯車を含む。しかしながら、変形例として、歯車列は単一の歯車を含んでもよい。この場合、歯車は、フレーム上でレバーがその周りを旋回する軸周りに、レバー上で旋回されない。更なる変形例として、歯車列は、２以上の歯車、特に３つの歯車または４つの歯車を含んでもよい。
【００３７】
上述の実施形態およびその変形例において、歯車列は、フレーム上でレバーがその周りを旋回する軸において、フレーム上で旋回する歯車を含む。しかしながら、変形例として、歯車列は、フレーム上でレバーがその周りを旋回する軸以外の場所で、フレーム上で旋回する歯車を含んでもよい。この場合、歯車列は、少なくとも２つの歯車を含む。更に、この場合、フレーム上で旋回する歯車とレバー上で旋回する歯車の間の噛合は、レバーの第２位置において切断されてもよい。
【００３８】
本明細書中、「不可逆ギア」の表現は、第２歯列の第１歯列との噛合であって、第２歯列が駆動中に、第１歯列を一方向のみに駆動可能であり、第１及び第２歯列が他の方向ではブロッキングされる噛合を意味すると理解される。有利には、当該ブロッキングは、第１及びまたは第２歯列の形状により得られる。特に、ブロッキングは、突合せ現象によりもたらされる。
【００３９】
時計２００の、特にムーブメント１００の動作を、以下に説明する。
【００４０】
レバー４へ作用がないこと、特にレバー４への時計職人による作用がないことを前提とする。このため、レバーは、図１及び２に示す第１位置にある。
【００４１】
自動または手動巻き上げ動力伝達装置は、爪車を時計まわり方向に駆動することを前提とする。この駆動により、主ぜんまいの圧迫または巻き上げが引き起こされる。この爪車の回転を理由として、その歯列３１が反時計回りに回転する第２歯車７の歯列７１を駆動する。第２歯車の回転を理由として、その歯列７１が時計回りに回転する第１歯車６の歯列６１を駆動する。第１及び第２歯車の回転は、抵抗なくしてまたは実質的に抵抗なくして自由に行われる。克服すべき唯一の抵抗は、歯列の噛み合い摩擦と、レバー上の歯車の旋回摩擦である。これら抵抗は非常に小さい。
【００４２】
ここで、自動または手動巻き上げ動力伝達装置が、もはや爪車を保持しないこと（手動巻き上げ小型時計の場合は、小型時計の巻き上げが終了したとき、または自動小型時計の場合は、分解の途中のいずれか）を前提とする。当該爪車は、主ぜんまいの効果の下、反時計回り方向に回転する傾向にある。しかしながら、当該回転は、以下に説明するとおり、防止される。具体的には、反時計回り方向への爪車３の起こりうる回転であって、当該回転中は、歯列３１、７１と６１との噛合を理由として第２歯車が時計回り方向に駆動され第１歯車が反時計回り方向に駆動される回転に続いて、第２歯列の歯が、第１歯列の歯の先端と当接する。これは、第２歯列の回転の突合せによるブロッキングをもたらし、反時計回り方向への爪車の回転に対する障害物を形成する。突合せは、第１歯列６１の第２歯列７１への力Ｆ１（矢印で示す）が、第１歯車がその周りを旋回する軸８を通過する方向に向けられているため、発生する。図２に示すように、第１歯車の第２歯車への力Ｆ１は、爪車の第２歯車への力Ｆ２（矢印で示す）により軸９周りに生成されるトルクに対抗する、軸９周りのトルクを生成する。爪車によりレバーに発揮される力Ｆ２は、その回転軸８周りに時計回り方向にレバーを回す、またはレバーをその静止位置へ、特に止め面１２が止め具１０との接触する位置へ、戻す傾向にあることを注記する。ばね５もまた、レバーを同一方向へ回転する傾向にある。
【００４３】
しかしながら、メンテナンス作業中、主ぜんまいをゆるめ、香箱に保存されたエネルギーを解放することを可能にすることが必要になる。このため、レバー４は（時計職人により）、静止位置から移動するように作用される。このため、ばね５により与えられる力は無効になり、爪車のレバーへの作用は無効になる。レバーが旋回振幅に到達すると、爪車と第２歯車の歯列は、もはや噛み合わず、爪車もまた反時計回りに自由に回転可能になる。レバーは、特に図３に示すように、止め具１０の止め面１１との接触により定義される第２位置へ移動される。
【００４４】
上述のブロッキングシテムを理由として、
−  爪のない、または爪が設けられない、
−  時計職人による（レバーの回転という）単純な作用によって簡単に解除可能な、
−  香箱へのエネルギーの伝達を最適化する、
−  香箱の巻き上げ中に発生する騒音を制限する、
ブロッキングシステムを得ることが可能になる。
【図１】
2021517644.tif 000003
【図２】
2021517644.tif 000004
【図３】
2021517644.tif 000005
【国際調査報告】
2021517644.tif 000006
2021517644.tif 000007
2021517644.tif 000008
2021517644.tif 000009